(57)【要約】【課題】メディアの挿入口を覆い隠す倒立可能なモニタを備えていても、容易にメディアの排出操作ができる車載情報装置を提供する。【解決手段】チルト／エジェクトボタン１０１が長押しされると、モニタ部２００を傾動させる（ステップＳ１肯定判断）。チルト／エジェクトボタン１０１が１回短押しされると、ＣＤ／ＤＶＤ読み取り装置１１０に挿入されたメディアの排出が指示されたものと判断する。同様に、チルト／エジェクトボタン１０１の短押し回数が２回であれば、ＭＤ録再装置１２０に挿入されたメディアの排出が、３回であれば、メモリカードリーダライタ１３０に挿入されたメディアの排出が指示されたものと判断する（ステップＳ３）。そして、排出が指示されたメディアが排出可能な角度位置にモニタ部２００を傾動させて（ステップＳ５）、当該メディアを排出する（ステップＳ９）。【選択図】      図９
2005038487.tif 000002
【特許請求の範囲】
【請求項１】
モニタと、
前記モニタの背面に位置するメディアの挿入排出口を有し、少なくとも前記メディアに記録された情報を読み取ることができるメディア再生装置と、
前記モニタを任意の角度位置に駆動する駆動手段と、
前記モニタの傾動および前記メディアの排出の双方を指示する単一の操作スイッチとを備えることを特徴とする車載情報装置。
【請求項２】
請求項１に記載の車載情報装置において、
前記操作スイッチが一定時間以上操作され続けたと判断すると前記モニタの傾動を指示し、操作継続時間が一定時間未満であると判断すると前記メディアの排出を指示する指示手段をさらに有することを特徴とする車載情報装置。
【請求項３】
請求項２に記載の車載情報装置において、
前記メディア再生装置を少なくとも２以上備え、
前記指示手段は、前記操作スイッチの操作継続時間が一定時間未満であると判断すると、当該操作の操作回数に応じて、いずれかの前記メディア再生装置に挿入されている前記メディアの排出を指示するかを決定することを特徴とする車載情報装置。
【請求項４】
請求項３に記載の車載情報装置において、
前記指示手段によって、いずれかの前記メディア再生装置に挿入されている前記メディアの排出を指示するかが決定されると、当該メディアが排出可能な角度位置まで前記モニタが傾動されて前記メディアが排出されることを特徴とする車載情報装置。
【請求項５】
請求項１〜４のいずれかの項に記載された車載情報装置において、
前記操作スイッチは、車両に設置される車載情報装置の本体側に設けられ、
前記操作スイッチの操作面は、起立した前記モニタの表示面と略同一平面上に位置することを特徴とする車載情報装置。
【請求項６】
操作スイッチが一定時間以上操作され続けるとモニタを傾動し、
前記操作スイッチの操作継続時間が一定時間未満のときには、当該操作の操作回数に応じて、少なくとも２以上のメディア再生装置のいずれかに挿入されているメディアを決定し、
当該メディアが排出可能な角度位置まで前記モニタを傾動して前記メディアを排出することを特徴とするメディア排出指示方法。
【発明の詳細な説明】
【０００１】
【発明の属する技術分野】
本発明は、倒立可能なモニタがメディアの挿入排出口を覆うことがある車載情報装置に挿入されたメディアを排出する技術に関する。
【０００２】
【従来の技術】
車両のインストルメントパネルに配設され、傾動可能なモニタを有する車載情報装置が知られている。いわゆる２ＤＩＮサイズと呼ばれる車載情報装置では、傾動可能なモニタの裏側にＤＶＤなどのディスクや、カセットテープなど各種メディアの挿入口が設けられている（特許文献１参照）。
【０００３】
【特許文献１】
特開２０００−３３８８８９号公報
【０００４】
【発明が解決しようとする課題】
従来の車載情報装置では、メディアを排出する際、起立したモニタを傾動させた後、モニタの厚さの分だけ奥まった位置に配設された排出ボタンを押圧しなければならない。そのため、排出ボタンが操作しづらい。
【０００５】
本発明は、メディアの挿入口を覆い隠す倒立可能なモニタを備えていても、容易にメディアの排出操作ができる車載情報装置を提供する。
【０００６】
【課題を解決するための手段】
（１）  請求項１の発明による車載情報装置は、モニタと、モニタの背面に位置するメディアの挿入排出口を有し、少なくともメディアに記録された情報を読み取ることができるメディア再生装置と、モニタを任意の角度位置に駆動する駆動手段と、モニタの傾動およびメディアの排出の双方を指示する単一の操作スイッチとを備えることを特徴とする。
（２）  請求項２の発明は、請求項１に記載の車載情報装置において、操作スイッチが一定時間以上操作され続けたと判断するとモニタの傾動を指示し、操作継続時間が一定時間未満であると判断するとメディアの排出を指示する指示手段をさらに有することを特徴とする。
（３）  請求項３の発明は、請求項２に記載の車載情報装置において、メディア再生装置を少なくとも２以上備え、指示手段は、操作スイッチの操作継続時間が一定時間未満であると判断すると、当該操作の操作回数に応じて、いずれかのメディア再生装置に挿入されているメディアの排出を指示するかを決定することを特徴とする。
（４）  請求項４の発明は、請求項３に記載の車載情報装置において、指示手段によって、いずれかのメディア再生装置に挿入されているメディアの排出を指示するかが決定されると、当該メディアが排出可能な角度位置までモニタが傾動されてメディアが排出されることを特徴とする。
（５）  請求項５の発明は、請求項１〜４のいずれかの項に記載された車載情報装置において、操作スイッチは、車両に設置される車載情報装置の本体側に設けられ、操作スイッチの操作面は、起立したモニタの表示面と略同一平面上に位置することを特徴とする。
（６）  請求項６の発明によるメディア排出指示方法は、操作スイッチが一定時間以上操作され続けるとモニタを傾動し、操作スイッチの操作継続時間が一定時間未満のときには、当該操作の操作回数に応じて、少なくとも２以上のメディア再生装置のいずれかに挿入されているメディアを決定し、当該メディアが排出可能な角度位置までモニタを傾動してメディアを排出することを特徴とする。
【０００７】
【発明の実施の形態】
図１〜９を参照して、本発明の車載情報装置による一実施の形態について説明する。図１（ａ）、（ｂ）は、モニタを収納した車載情報装置の外観を示す図であり、図２は図１（ａ）のＩＩ−ＩＩ断面を示す図である。
【０００８】
車載情報装置１は、本体部１００と、本体部１００に対して倒立可能に傾動するモニタ部２００とを有する。本体部１００には、ＣＤおよびＤＶＤに記録された情報を読み込むためのＣＤ／ＤＶＤ読み取り装置１１０と、ＭＤの録音、再生をするためのＭＤ録再装置１２０と、メモリカードとの間で各種の情報をやりとりするためのメモリカードリーダライタ１３０と制御回路１４５とが設けられている。
【０００９】
これら各装置１１０〜１３０は、情報の記録媒体であるそれぞれのメディアを各装置１１０〜１３０に挿脱するための挿入排出口１１１、１２１，１３１を有する。すなわち、車載情報装置１は、各種メディアが挿脱可能なスロットを３つ有している。各挿入排出口１１１，１２１，１３１は、本体部１００の前面であって、起立して本体部１００に収納されたモニタ部２００によって覆われる位置に配置されている。したがって、各メディアを挿脱するためには、モニタ部２００を傾動させて、各挿入排出口１１１，１２１，１３１を露出させなければならない。制御回路１４５は、後述するように、チルト／エジェクトボタンの押圧状態を判断してモニタ部２００を所定の角度位置まで傾動させる。
【００１０】
１０１は、本体部１００の上部前面に設けられたチルト／エジェクトボタンである。チルト／エジェクトボタン１０１は、本体部１００に収納されたモニタ部２００のモニタ２０１の表示面と略同一平面上に操作面を有するスイッチである。後述するように、チルト／エジェクトボタン１０１が一定時間以上押圧（長押し）され続けると、モニタ部２００が傾動される。チルト／エジェクトボタン１０１の押圧継続時間が一定時間未満である押圧（短押し）がされると、短押しされた回数に応じて所定の位置までモニタ部２００が傾動された後、短押しされた回数に応じて各装置１１０〜１３０のいずれかに挿入されたメディアを排出する。すなわち、チルト／エジェクトボタン１０１は、モニタ部２００のチルト（傾動）操作スイッチとして機能するとともに、メディアのエジェクト（排出）スイッチとしても機能する。
【００１１】
モニタ部２００は、モニタ２０１と、操作ボタン２０２と、ジョイスティック２０３とを備えている。モニタ２０１には、ＣＤ／ＤＶＤ読み取り装置１１０でＣＤまたはＤＶＤから読み取った情報などが適宜表示される。操作スイッチ２０２およびジョイスティック２０３は、車載情報装置１の入力装置として機能する。
【００１２】
―――モニタ部２００の傾動動作について―――
図２に示すように、スライドアーム１４１と回動アーム１４２は、モニタ部２００の左右側面にそれぞれ設けられている。スライドアーム１４１は、ガイド孔１４１ｂを有し、ガイド孔１４１ｂに本体部１００のピン１００ｐが挿入されている。これによりスライドアーム１４１は、本体部１００に対して前後方向に移動可能に保持されている。回動アーム１４２は、本体部１００に対して回動中心１４２ｂで回動可能に保持されている。モニタ部２００は、その側面がスライドアーム１４１のモニタ側端部１４１ａ、および回動アーム１４２のモニタ側端部１４２ａによってそれぞれ回動可能に支持されている。したがって、モニタ部２００の角度位置は、各モニタ側端部１４１ａ，１４２ａの本体部１００に対する相対位置によって決定される。
【００１３】
モニタ傾動用のモータ１４４が駆動されると、図示しないギア機構を介してスライドアーム１４１に設けられたラックギヤが駆動されるので、スライドアーム１４１は本体部１００に対して前後方向に駆動される。同様に、モータ１４４が駆動されると、ギア機構とリンクを介してギヤ側端部１４２ｃが回動されるので、回動アーム１４２は回動中心１４２ｂに関して回動される。モニタ部２００の傾動位置は、各アーム１４１，１４２を駆動するギヤ機構およびリンクに接続されたリニアセンサ１４３によって検出される。
【００１４】
図２〜５に示すように、モニタ部２００は、本体部１００に収納された状態（図２）から本体部１００に対して略９０度傾動された角度位置（図５）まで、任意の角度位置に傾動可能である。図２に示すモニタ部２００の収納状態から不図示のモニタ傾動用モータが正回転方向に駆動されると、スライドアーム１４１が車載情報装置１の前方に駆動されるとともに、回動アーム１４２がその回動中心１４２ｂを中心に反時計方向に回動される。すなわち、モニタ側端部１４１ａはモニタ部２００の下部を車載情報装置１の前方に送り出し、モニタ側端部１４２ａは、モニタ側端部１４２ａで保持しているモニタ部２００の側面の略中央付近を車載情報装置１の前方かつ下方に送り出す。これにより、モニタ部２００は、図３，４に示すように傾動される。さらに、不図示のモータが正回転方向に駆動されると、図５に示すように、モニタ部２００は、図２に示した収納状態から略９０度傾動された角度位置で停止する。図５に示す状態からモータが逆回転方向に駆動されると、上述の説明とは逆の動作によって、モニタ部２００は、本体部１００に収納される。
【００１５】
モニタ部２００が本体部１００に収納された状態（図２）から本体部１００に対して略９０度傾動された角度位置（図５）まで傾動することで、各装置１１０〜１３０へのメディアの挿脱が可能になる。たとえば図２に示したモニタ部２００の収納状態からモニタ部２００が図３の姿勢まで傾動されると、モニタ部２００の上部がＣＤ／ＤＶＤ読み取り装置１１０の挿入排出口１１１より下に下がる。図３に示した車載情報装置１を正面から見た状態を図６に示す。図６に示すように、車載情報装置１の正面にＣＤ／ＤＶＤ読み取り装置１１０の挿入排出口１１１が露出しているので、ＣＤ／ＤＶＤ読み取り装置１１０に対してＣＤまたはＤＶＤの挿脱が可能となる。
【００１６】
図３，６に示した状態からモニタ部２００が図４の姿勢まで傾動されると、モニタ部２００の上部がＭＤ録再装置１２０の挿入排出口１２１より下に下がる。図４に示した車載情報装置１を正面から見た状態を図７に示す。図７に示すように、車載情報装置１の正面にＭＤ録再装置１２０の挿入排出口１２１が露出しているので、ＭＤ録再装置１２０に対してＭＤの挿脱が可能となる。
【００１７】
図４，７に示した状態からモニタ部２００が図５の姿勢まで傾動されると、モニタ部２００の上部がメモリカードリーダライタ１３０の挿入排出口１３１より下に下がる。図５に示した車載情報装置１を正面から見た状態を図８に示す。図５に示すように、車載情報装置１の正面にメモリカードリーダライタ１３０の挿入排出口１３１が露出しているので、メモリカードリーダライタ１３０に対してメモリカードの挿脱が可能となる。
【００１８】
―――メディアの排出―――
図９は、各装置１１０〜１３０に挿入されているメディアを排出する動作を示すフローチャートである。車両から車載情報装置１に電源が供給され、チルト／エジェクトボタン１０１が押圧されると、制御回路１４５において、図９に示したプログラムが動作を開始する。ステップＳ１において、チルト／エジェクトボタン１０１が長押しされたか否かを判断する。ステップＳ１が肯定判断されると、後述するステップＳ２１へ進む。ステップＳ１が否定判断されるとステップＳ３へ進む。
【００１９】
ステップＳ３において、チルト／エジェクトボタン１０１が短押しされた回数から、排出が指示されたメディアを判断する。チルト／エジェクトボタン１０１が短押しされた回数が１回であれば、ＣＤ／ＤＶＤ読み取り装置１１０に挿入されたメディアの排出が指示されたものと判断する。チルト／エジェクトボタン１０１が短押しされた回数が２回であれば、ＭＤ録再装置１２０に挿入されたメディアの排出が指示されたものと判断する。チルト／エジェクトボタン１０１が短押しされた回数が３回であれば、メモリカードリーダライタ１３０に挿入されたメディアの排出が指示されたものと判断する。
【００２０】
ステップＳ３で、チルト／エジェクトボタン１０１が短押しされた回数から排出が指示されたメディアが判断されるとステップＳ５へ進む。ステップＳ５において、ステップＳ３で判断したメディアの排出ができる角度位置までモニタ部２００を傾動させる。すでにステップＳ３で判断したメディアの排出ができる角度位置までモニタ部２００が傾動されていた場合には、モニタ部２００の傾動はしない。上述のように、モニタ部２００の角度位置検出はリニアセンサ１４３によって検出される。
【００２１】
ステップＳ７において、ステップＳ３で判断した排出対象のメディアの有無、すなわち排出対象メディアが装置１１０〜１３０に挿入されているか否かを判断する。ステップＳ７が肯定判断されるとステップＳ９へ進み、排出対象メディアを排出してステップＳ１１へ進む。ステップＳ１１において、ステップＳ９で排出されたメディアが当該挿入排出口１１１、１２１，１３１から抜かれるまで待機する。
【００２２】
ステップＳ１１が肯定判断されるか、ステップＳ７が否定判断されるとステップＳ１３へ進む。ステップＳ１３において、新たにメディアが当該挿入排出口１１１，１２１，１３１に挿入されたか否かを判断する。ステップＳ１３が肯定判断されるとステップＳ１５へ進み、ステップＳ１３で挿入されたと判断されたメディアが当該装置１１０〜１３０に装着されるまで待機する。ステップＳ１５が肯定判断されると、メディア排出前の角度位置にモニタ部２００を傾動させてリターンする。
【００２３】
ステップＳ１３が否定判断されるとステップＳ１９へ進み、チルト／エジェクトボタン１０１が押圧されるか、一定時間が経過したか否かを判断する。ステップＳ１９が否定判断されるとステップＳ１３へ戻る。ステップＳ１９が肯定判断されるとステップＳ１７へ進む。
【００２４】
ステップＳ１が肯定判断されるとステップＳ２１へ進み、モニタチルトモードに移行し、モニタ部２００の傾動を開始してステップＳ２３へ進む。ステップＳ２３において、チルト／エジェクトボタン１０１の長押しが継続されているか否かを判断する。ステップＳ２３が肯定判断されるとステップＳ２５へ進み、モニタ部２００の傾動を継続してステップＳ２７へ進む。ステップＳ２７において、モニタ部２００が本体部１００に対して略９０度傾動された角度位置（図５）、すなわち傾動下限位置まで傾動したか否かを判断する。ステップＳ２７が否定判断されるとステップＳ２３へ戻る。ステップＳ２７が肯定判断されるとステップＳ２９へ進み、モニタ部２００を本体部１００に収納された状態（図２）に戻してリターンする。ステップＳ２３が否定判断されるとステップＳ３１へ進み、モニタ部２００の傾動を停止してリターンする。
【００２５】
上述の車載情報装置１では、次のようにして挿入されているメディアを排出する。チルト／エジェクトボタン１０１が１回短押しされると、ＣＤ／ＤＶＤ読み取り装置１１０に挿入されたメディアの排出が指示されたものと判断する（ステップＳ３）。そして、ＣＤ／ＤＶＤ読み取り装置１１０の挿入排出口１１１が露出するようにモニタ部２００を図３，６に示す角度位置に設定する（ステップＳ５）。同様に、チルト／エジェクトボタン１０１の短押し回数が２回であれば、ＭＤ録再装置１２０の挿入排出口１２１が露出するように（図４，７）、３回であれば、メモリカードリーダライタ１３０の挿入排出口１３１が露出するように（図５，８）モニタ部２００の角度位置を設定する。
【００２６】
モニタ部２００が所定の角度位置に傾動した後、当該メディアを排出する（ステップＳ９）。当該メディアが抜かれる（ステップＳ１１肯定判断）か、排出すべきメディアが挿入されていなかった場合（ステップＳ７否定判断）には、メディアが挿入されるか（ステップＳ１３肯定判断）、チルト／エジェクトボタン１０１が押圧されるか、一定時間経過するまで待機する。そしてモニタ部２００をメディアの排出指示前の角度位置に戻す（ステップＳ１７）。
【００２７】
チルト／エジェクトボタン１０１が長押しされると（ステップＳ１肯定判断）、モニタチルトモードに移行して、チルト／エジェクトボタン１０１が長押しされている間、モニタ部２００を傾動させる（ステップＳ２３〜ステップＳ２７）。モニタ部２００が本体部１００に対して略９０度傾動された角度位置（図５）、すなわち傾動下限位置まで傾動されると、モニタ部２００を本体部１００に収納された状態（図２）に戻す（ステップＳ２９）。
【００２８】
上述した車載情報装置１では、以下の作用効果を奏する。
（１）  チルト／エジェクトボタン１０１によって、モニタ部２００の傾動操作とメディアの排出操作とを指示可能に構成した。これにより、モニタ部２００がメディアの挿入口１１１，１２１，１３１を覆い隠す角度位置であっても、容易にメディアの排出操作ができる。また、メディア排出用の操作ボタンを別途設ける必要がないので、製造コストを低減できる。
【００２９】
（２）  チルト／エジェクトボタン１０１の押圧時間によって、モニタ部２００の傾動操作とメディアの排出操作とを別々に指示可能に構成した。これにより、それぞれの操作の操作性が向上するとともに操作部の簡素化が図れる。
（３）  チルト／エジェクトボタン１０１の短押し回数によって、排出すべきメディアを選択可能に構成した。これにより、排出すべきメディアの選択が容易になり、利便性が高い。
【００３０】
（４）  チルト／エジェクトボタン１０１は、本体部１００の正面に設けられるとともに、本体部１００に収納されたモニタ部２００のモニタ２０１の表示面と略同一平面上に操作面が設けられている。これにより、従来のもののようにモニタの厚さの分だけ奥まった位置に配設された排出ボタンを押圧する必要がないので押圧操作が容易である。モニタ部２００が傾動した状態であっても、押圧操作が容易である。
【００３１】
―――変形例―――
上述の説明において、車載情報装置１に搭載された各装置１１０〜１３０に挿脱されるメディアはＣＤ／ＤＶＤとＭＤとメモリカードとであったが、本発明はこれに限定されない。カセットテープやリムーバブルタイプのハードディスクなど、各種のメディアであってもよい。また、上述の説明では、メディアの挿入可能なスロット数は３スロットであったが、本発明はこれに限らない。１または２スロットであってもよく、４スロット以上であってもよい。
【００３２】
上述の説明では、チルト／エジェクトボタン１０１が短押し操作のみで、モニタ部２００の傾動とメディアの排出が行われたが、本発明はこれに限定されない。たとえば、チルト／エジェクトボタン１０１の長押し操作でメディアの排出が可能な角度位置までモニタ部２００を傾動させなければ、メディアが排出できないものであってもよい。すなわち、メディアの排出に先立ち、モニタ部２００の傾動操作を要するものであってもよい。このような構成であっても、チルト／エジェクトボタン１０１の押圧時間によって、モニタ部２００の傾動操作とメディアの排出操作とを別々に指示可能であるので、それぞれの操作の操作性の向上と操作部の簡素化という作用効果を奏する。さらに、上述した各実施の形態および変形例は、それぞれ組み合わせてもよい。
【００３３】
以上の実施の形態およびその変形例において、操作スイッチはチルト／エジェクトボタン１０１に、指示手段は制御回路１４５にそれぞれ対応する。メディア再生装置は、ＣＤ／ＤＶＤ読み取り装置１１０とＭＤ録再装置１２０とメモリカードリーダライタ１３０に対応する。駆動手段は、スライドアーム１４１と回動アーム１４２とモータ１４４とによって構成される。さらに、本発明の特徴的な機能を損なわない限り、本発明は、上述した実施の形態における機器構成に何ら限定されない。
【００３４】
【発明の効果】
本発明によれば、操作スイッチによって、モニタの傾動操作とメディアの排出操作とを指示可能に構成した。これにより、モニタがメディアの挿入排出口を覆い隠す角度位置であっても、容易にメディアの排出操作ができる。
【図面の簡単な説明】
【図１】モニタ部２００を収納した車載情報装置１の外観を示す図であり、（ａ）は正面図、（ｂ）は側面図である。
【図２】図１（ａ）のＩＩ−ＩＩ断面を示す図である。
【図３】図２に示す状態からモニタ部２００が傾動した状態を示す図である。
【図４】図３に示す状態から、さらにモニタ部２００が傾動した状態を示す図である。
【図５】図２に示した収納状態から略９０度傾動された角度位置でモニタ部２００が停止した状態を示す図である。
【図６】図３に示したモニタ部２００の角度位置における正面図である。
【図７】図４に示したモニタ部２００の角度位置における正面図である。
【図８】図５に示したモニタ部２００の角度位置における正面図である。
【図９】各装置１１０〜１３０に挿入されているメディアを排出する動作を示すフローチャートである。
【符号の説明】
１  車載情報装置                      １００  本体部
１０１  チルト／エジェクトボタン      １１０  ＣＤ／ＤＶＤ読み取り装置
１１１，１２１，１３１  挿入排出口    １２０  ＭＤ録再装置
１３０  メモリカードリーダライタ      １４１  スライドアーム
１４２  回動アーム                    １４３  リニアセンサ
１４４  モータ                        １４５  制御回路
２００  モニタ部                      ２０１  モニタ
【図１】
2005038487.tif 000003
【図２】
2005038487.tif 000004
【図３】
2005038487.tif 000005
【図４】
2005038487.tif 000006
【図５】
2005038487.tif 000007
【図６】
2005038487.tif 000008
【図７】
2005038487.tif 000009
【図８】
2005038487.tif 000010
【図９】
2005038487.tif 000011